(57)【要約】【課題】  照明器具のメンテナンスがしやすく、さらに美観に優れた膜天井を形成するための照明器具カバーを提供する。【解決手段】  透光性のある膜材１０と、それを巻き取る、あるいは巻き解くことのできる巻取り部２０と、膜材１０の両端を案内しながらそのテンションを強めることのできる機能を備えた膜材用ガイド３０と、で構成される照明器具カバー１を提供する。これを構造物である建造物や車両の内部で、それらの基礎天井２に設けられている照明器具３の下側に設置する。これによって、開閉ができるために照明器具のメンテナンスがしやすく、さらに美観に優れた膜天井が得られる。【選択図】  図１
2006225867.tif 000002
【特許請求の範囲】
【請求項１】
透光性のある膜材と、
前記膜材をロール状に巻き取る、あるいは巻き解くことのできる巻取り部と、
前記巻取り部から引き出され、平面状に張られる前記膜材の移動が予定された面の両端に沿うようにして設置され、前記膜材の両端部を案内する膜材用ガイドと、
から構成され、構造物の基礎天井にある照明器具の下側に設置される照明器具カバー。
【請求項２】
前記膜材は、
その両端部に、前記膜材よりも肉厚とされた肉厚部をそれぞれ備えており、
前記膜材用ガイドのそれぞれは、
前記肉厚部と掛止される、前記膜材の移動が予定された面の前記両端に沿って配されるレールと、
前記構造物に固定されるものであり、前記レールを保持するようにされたレールカバーと、
その位置又は方向が可変にされ、その位置又は方向を変えることにより、前記レールカバーに対する前記レールの位置又は方向を、前記膜材の幅方向の長さが変わるようにして変えることができるようにされた、前記レールカバーに保持された張力増大手段と、
を有する、
請求項１記載の照明器具カバー。
【請求項３】
前記張力増大手段は、
前記レールに設けられた第１当接部と、
その一端に第２当接部を有するとともに、その第２当接部が前記第１当接部と当接し、且つその他端が前記レールカバーに、前記膜材の移動が予定された面に対して垂直な軸周りに回転できるような状態で取付けられている回転部材と、が配されており、
前記第１当接部と、前記第２当接部は、前記回転部材を回転させることで、前記第１当接部を、前記膜材の移動が予定された前記面を含む面から遠ざけることができるような形状とされている、
請求項２記載の照明器具カバー。
【請求項４】
前記膜材用ガイドは、前記膜材の一面側から他面側に空気を通過させることのできるようにされた通気孔を備えてなる、
請求項１〜３のいずれかに記載の照明器具カバー。
【請求項５】
前記巻取り部に近接されて、前記膜材の少なくとも一方の面に接するブラシが設けられている、
請求項１〜４のいずれかに記載の照明器具カバー。
【請求項６】
前記巻取り部近傍において、前記膜材を巻き解く方向で、対向する前記膜材用ガイドの間の幅が長くされてなる、
請求項１〜５のいずれかに記載の照明器具カバー。
【請求項７】
前記基礎天井の下側に、請求項１〜６のいずれかに記載の照明器具カバーを１つ又は複数取付けて、前記基礎天井の下側の全面を前記照明器具カバーで覆うようにして構成されている、天井。
【請求項８】
請求項１〜６のいずれかに記載の照明器具カバーを、その対向する内側面のそれぞれに連続して固定することで、前記膜材によってその天井を構成させることができるようにされている、車両。
【発明の詳細な説明】
【技術分野】
【０００１】
本発明は、照明が設けられた建造物の基礎天井の下側に、ロールから引き出した膜材を平面状に配してなる照明器具カバー、或いはそれを応用する技術に関する。
【背景技術】
【０００２】
建造物、あるいはその他の構造物（例えば、電車などの車両）の内部で膜材を使用する設備がある。例えば、基礎天井に点在する照明器具を覆うように透光性のある膜材を張れば、膜材による、照明器具カバーを得ることができる。また、この照明器具カバーを、基礎天井の全面を覆うように配すれば膜材によって形成された、全面もしくは一部を発光させられる美観に優れた天井を得ることができる。
【０００３】
従来からある膜天井は、膜材を例えば長方形のフレームに張り渡して構成された膜パネルを、複数枚連続して並べた状態で、基礎天井の下側に吊るすことによって作られている。このような膜パネルは、膜パネルの上側の掃除や、膜パネルの上側にある照明器具の、例えば電球交換などのメンテナンスの都合上、隣接する他の膜パネルから取外すことができるようにされており、また、その一端を膜パネルに、その他端を基礎天井ないし膜パネルと基礎天井の間に縦横に渡された梁状の部材に固定された針金又はワイヤを有しているのが通常である。膜パネルは、隣接する他の膜パネルから取外され他の膜パネルより下方にずらされた状態で、上述の針金又はワイヤにより、基礎天井ないし膜パネルから吊下げられた状態にすることができるようにされている。その状態で、下方にずらされた膜パネルと他の膜パネルの隙間から、膜パネルの上側の掃除や、照明器具のメンテナンスを行う。
しかし、このような膜天井では、電球の交換のときに、一枚ずつ膜パネルをずらして行うため、手間がかかることや、埃の掃除が大変であるなど、不都合な点が多い。
【発明の開示】
【発明が解決しようとする課題】
【０００４】
本発明は、美観について優れた膜材を天井に用いる技術を改良し、膜材の上側の掃除や、照明器具のメンテナンスがし易い照明器具カバー、或いはその応用技術を提供することを課題とする。
【課題を解決するための手段】
【０００５】
上述の課題を解決するため、本発明では、透光性のある膜材と、前記膜材をロール状に巻き取る、あるいは巻き解くことのできる巻取り部と、前記巻取り部から引き出され、平面状に張られる前記膜材の移動が予定された面の両端に沿うようにして設置され、前記膜材の両端部を案内する膜材用ガイドと、から構成され、構造物の基礎天井にある照明器具の下側に設置される照明器具カバーを提供する。
このような照明器具カバーであれば、膜材を天井に用いるため、美観について優れているのみならず、一般には垂直方向に配されることの多いロールスクリーンのごとく開け閉め可能なので、膜材の上側の掃除や、照明器具のメンテナンスがし易いものとなる。
なお、本発明の膜材は、透光性の他に、防炎性と不燃性、或いはこれらの一方を有していてもよい。
【０００６】
本発明の照明器具カバーの膜材用ガイドは、膜材の両端に沿うようにされており、膜材の両端を案内できるようになっていればその具体的な構成は問わない。例えば、前記膜材の両端部にそれぞれ、前記膜材よりも肉厚とされた肉厚部が設けられているのであれば、前記膜材用ガイドのぞれぞれは、前記肉厚部と掛止される、前記膜材の移動が予定された面の前記両端に沿って配されるレールと、前記構造物に固定されるものであり、前記レールを保持するようにされたレールカバーと、を備えるものとなっていてもよい。この場合、前記膜材用ガイドは、その位置又は方向が可変にされ、その位置又は方向を変えることにより、前記レールカバーに対する前記レールの位置又は方向を、前記膜材の幅方向の長さが変わるようにして変えることができるようにされた、前記レールカバーに保持された張力増大手段を有していてもよい。
このようにすれば、平面状に張られる膜材の幅方向にテンションをかけることができ、美観がよい。
【０００７】
前記張力増大手段は、その位置又は方向が可変にされ、その位置又は方向を変えることにより、前記レールカバーに対する前記レールの位置又は方向を、前記膜材の幅方向の長さが変わるようにして変えることができるようにされたものであればどのようなものでもよい。例えば、前記レールに設けられた第１当接部と、その一端に第２当接部を有するとともに、その第２当接部が前記第１当接部と当接し、且つその他端が前記レールカバーに、前記膜材の移動が予定された面に対して垂直な軸周りに回転できるような状態で取付けられている回転部材と、が配されており、前記第１当接部と、前記第２当接部は、前記回転部材を回転させることで、前記第１当接部を、前記膜材の移動が予定された前記面を含む面から遠ざけることができるような形状とすることができる。
このようにすれば、簡単な構成で、膜材に対してその幅方向にテンションをかけやすくなる。
なお、回転部材は、前記レールカバーに対する前記レールの位置又は方向を、前記膜材の幅方向の長さが変わるようにして変えることができるようにされていれば、前記膜材の移動が予定された面に対して垂直な軸周りに回転できるようになっている上述の構成の他、例えば前記膜材に対して水平などの他の軸周りに回転できるようになっていてもよい。
【０００８】
構造物では、天井に空調設備がついていることがままある。このような場合、前記膜材用ガイドを空調設備と組み合わせて設置すれば、膜材の上側に隠した状態で配置した空調設備からの送気を、膜材の上側から下側の室内に送ることができるようになり、美観の点で有利である。照明器具カバーを、このような用途に応用するには、例えば、膜材用ガイドを、膜材の一面側から他面側に空気を通過させることができる通気孔を備えるものとすればよい。
【０００９】
本願発明の照明器具カバーは、また、前記巻取り部に近接されて、膜材の少なくとも一方の面に接するブラシを備えていてもよい。このようなブラシを設ければ、膜材を開閉するのと同時に埃を取ることができる。
これによって、例えば、照明器具の交換をするために膜材を開閉するのと同時に、膜材の上面、下面、或いはその両面に付着している埃の掃除ができるので、掃除の手間が省ける。
【００１０】
前記膜材用ガイドを、前記巻取り部近傍において、前記膜材を巻き解く方向で、対向する前記膜材用ガイドの間の幅が長くなるようなものにすることができる。このようにすれば、張られている前記膜材のテンションを強めることができる。
【００１１】
巻き解いた状態の膜材は、基礎天井の一部を覆うものとなっていても全面を覆うものとなっていてもよい。
本願発明の照明器具カバーを、前記基礎天井の下側に、１つ又は複数取付けて、前記基礎天井の下側の全面を前記照明器具カバーで覆うようにすれば、巻き解いた状態の膜材に構造物の天井を形成させることができる。
このような天井の全面を覆う照明器具カバーによれば、実質的に天井の全面を膜材により構成できることになるので、美観について優れた天井を得られることになるという効果を、膜材の上側の掃除や、照明器具のメンテナンスがし易くなるという効果と両立させられることになる。
【００１２】
さらに、前記照明器具カバーを、その車両の対向する内側面のそれぞれに連続して固定することで、前記膜材によってその天井を構成させることができる。
鉄道用車両等の車両の天井に膜材を配することにより、車両内部の美観を大幅に向上させることができる。
【発明を実施するための最良の形態】
【００１３】
以下、本発明の第１、第２実施形態を図面に基づいて説明する。なお、両実施形態で共通するものには共通する符号を付すこととし、重複する説明は場合により省略するものとする。
【００１４】
《第１実施形態》
図１は第１実施形態における照明器具カバー１の側面図を示す。
この実施形態における照明器具カバー１は、この実施形態では建造物である構造物の基礎天井２の下側に取付けて用いられる。この基礎天井２には、電球、蛍光灯などによって構成された照明器具３が適当な数だけ取付けられている。なお、照明器具３は、基礎天井２に直接取付けられていてもよいが、基礎天井２から吊り下げられた野縁などの所定の部材に、照明器具カバー１よりも上に位置するようにして取付けられていても構わない。
この実施形態における照明器具カバー１は、透光性のある膜材１０と、膜材１０をロール状に巻き取る、あるいは巻き解くことのできる巻取り部２０と、巻取り部２０から引き出され、平面状に張られる膜材１０の移動が予定された面の両端に沿うようにして設置され、膜材１０の両端部を案内する膜材用ガイド３０と、を有する。
【００１５】
この実施形態で用いられる膜材１０は、透光性のあるしなやかな素材からなり、厚さ０．６ｍｍ以下の長尺な矩形とする。この膜材１０は透光性の他に、防炎性と不燃性、或いはこれらの一方があってもよい。
また、膜材１０の、膜材１０を巻取り部２０から巻き解いた先端部には、巻き解いた膜材１０を構造物に対して掛止して固定することのできる機構が設けられている。例えば、膜材１０の先端部に沿ってバー１２が設けられてあって、そのバー１２に、略コの字形に形成の掛止具１３が備えられている。この掛止具１３は、巻取り部２０が固定された構造物の壁面と対向する壁面に取付けられた図示せぬフックに対して着脱自在に掛止することができるようにされており、かかる掛止を行うことで巻取り部２０から巻き解いた膜材１０の先端を、巻取り部２０が固定された構造物の壁面と対向する壁面に固定できるようになっている。
【００１６】
この実施形態で用いられる巻取り部２０は、膜材１０と同程度の長さの幅を持つ筒状の筒部材２１と、筒部材２１を支持する巻取り部カバー２２からなる。筒部材２１は、この実施形態では、常に膜材１０を巻き取る方向に力がかかるように構成されている。このようにすることで、巻き解いて掛止具１３を構造物に固定させた状態の膜材１０に対して、膜材１０の長さ方向にテンションをかけられるようになる。これにより、膜材１０の美観を向上させられる。なお、筒部材２１に、常に膜材１０を巻き取る方向に力がかかるようにするための具体的な構成は不問であるが、例えば、筒部材２１の内部に、筒部材２１を、膜材１０を巻き解く方向で回転させるとその捩れの量が大きくなっていくようなバネを内蔵させておく機構などの公知の機構を、これに用いることができる。
【００１７】
図２は第１実施形態における膜材用ガイド３０の断面図を示す。この実施形態で用いられる膜材用ガイド３０は、レールカバー３１、レール３２、回転部材３３、ピン３４を備えている。
膜材１０は、その両端部に沿って膜材１０の厚さよりも肉厚な肉厚部１１を有する。肉厚部１１は、例えば、膜材１０の両端を何重かに折り重ねた状態で固定することによって構成されている。或いは、肉厚部１１は、膜材１０の両端に、例えば服飾の分野で用いられるファスナーのように、膜材１０よりも肉厚にされた金属製、樹脂製などの小片を連続して多数取付けることによって構成されていてもよい。
【００１８】
レールカバー３１は、長尺なアルミ製で、断面形状が略コの字形の部材３１Ａと、長尺な樹脂製で断面形状が略Ｌの字形の２組の部材３１Ｂと、から構成される。部材３１Ａ断面のコの字形の開いている部分の中心に膜材１０の端部を差し込める程度の隙間ができるように、断面略Ｌ字形の部材３１Ｂは部材３１Ａに対して対称に取付けられている。部材３１Ａと部材３１Ｂで囲まれたレールカバー３１の内部の空間には、レール３２と、回転部材３３と、ピン３４が配されるようになっている。また、部材３１Ａの内部には、後述するようにしてレール３２を案内する溝３１Ｃが設けられている。
なお、部材３１Ｂの縦断面形状は、その長さ方向のどの部分でも同一であるが、部材３１Ａはその両端部付近の２箇所と他の部分とでその縦断面形状が異なるようになっている。部材３１Ａの両端部付近の他の部分と断面形状が異なる部分には、そこに挿入されたピン３４を回転自在に保持することができる穴３１Ｄと、部材３１Ａの下側の面を貫く、その内部を貫通したピン３４が回転できるだけの径を有する孔３１Ｅが設けられている。
【００１９】
レール３２は、長尺であり、この実施形態では樹脂製である。レール３２は、膜材１０の肉厚部１１を挿入され、その状態で肉厚部１１を掛止する断面略コの字形のフック３２Ａを有している。膜材１０の両端部は、このフック３２Ａにより案内されながら巻き解かれ、或いは巻き取られる。レール３２は、また、膜材１０の張られる面に対して斜面となる、この実施形態では楕円形の第１当接部３２Ｂと、レール３２をレールカバー３１の内部に配したときに溝３１Ｃに嵌められる板状の案内板３２Ｃと、第一当接部３２Ｂに穿設されたピン３４が貫通できるような径とされた孔３２Ｄと、を有している。
レール３２は、レールカバー３１の内部に配された状態でレールカバー３２に対して上下動可能とされているが、膜材１０の水平方向には移動できないようになっている。案内板３２Ｃが溝３１Ｃによって上下動しかできないようにその移動方向を規制されているからである。
【００２０】
回転部材３３は、この実施形態では、スチール製で、略円筒の形状をしている。回転部材３３は、第一当接部３２Ｂと同形の斜面で円筒の一端にある第二当接部３３Ａと、ピン３４が貫通できる孔３３Ｂと、を有している。ピン３４は、孔３３Ｂを貫通した状態で、回転部材３３と同軸となるようにして、回転部材３３に固定されている。
ピン３４は、レールカバー３１の幅と同程度の長さであり棒状とされている。穴３１Ｄと孔３２Ｄを貫通させた状態で挿入されたその一端には、レンチの先端を挿入することができる凹部３４Ａが設けられている。この凹部３４Ａに挿入したレンチを回転させてピン３４を回転させることにより、回転部材３３をレールカバー３１の下側からの操作で回転させることができるようになっている。
【００２１】
膜材用ガイド３０を構造物に対して取付ける際、第一当接部３２Ｂと第二当接部３３Ａのそれぞれの面が接するようにして配置する。この状態で、ピン３４をレンチで１８０°回転させると、図３に示したように、第一当接部３２Ｂと第二当接部３３Ａが点で接するような状態になる。この状態では、図２に示した状態よりも、レール３２の位置が下がる。これにより、膜材１０の幅方向の距離が伸びるので、膜材１０に与えられるテンションを膜材用ガイド３０の取付け後に増大させることができる。
【００２２】
図４は、以上で説明した照明器具カバー１の変形例を示す斜視図である。
この変形例による照明器具カバー１は、通気孔４０を備えている。通気孔４０は、長尺な略断面コの字形の形状で、開いている部分を下にして設置され、開いている部分の対向する面にホース４１を通すことのできる孔４２が設けられている。通気孔４０は、膜材１０の一面側から他面側に空気を通過させることができるものである。
膜材用ガイド３０の上側の空間には、図示せぬ空調設備が設けられており、空調設備からの送気が通気孔４０を介して膜材１０の上側から下側へ抜けるようになっている。
なお、通気孔４０の上側の端部に、空調設備から延びる送気が送られてくるホース４１を嵌めることもできる。このようにすれば、空調設備からの送気を膜材１０の上側から下側（室内側）に損失なく導けるようになる。
【００２３】
この変形例による照明器具カバー１の巻取り部カバー２２には、刷毛ブラシ５０が膜材１０の両面に接するように設けられている。張られている状態の膜材１０を、巻取り部２０に収納する場合、或いは巻取り部２０から膜材１０を引き出す場合には、膜材１０の両面が刷毛ブラシ５０で掃かれることになる。
この刷毛ブラシ５０は、膜材１０の片面側だけに、例えば、埃のたまりやすい膜材１０の上面側だけに設置されていてもよい。
【００２４】
図５は、図１に示した照明器具カバー１に含まれる膜材用ガイド３０の変形例を示す平面図である。図５に示すように、この変形例では、張られている膜材１０のテンションをさらに強めるために、膜材用ガイド３０を、巻取り部２０の近くで、対向する膜材用ガイド３０の間の幅が広がるように湾曲させている。湾曲している部分より先の部分においては、２本の膜材用ガイド３０は平行になっている。
この湾曲させる形状は、対向する膜材用ガイド３０の間の幅が、巻取り部２０から上述の２本の膜材用ガイド３０が平行になる部分に向けて広くなるようになっていれば、どのようなものでもよい。
この実施形態では、巻取り部２０の近傍で対向する膜材用ガイド３０をそれぞれ幅が広がる方向に湾曲させることで、膜材１０のテンションを強めている。
【００２５】
次に、上述の照明器具カバー１の使用方法について説明する。
照明器具カバー１を使用する際には、照明器具カバー１を、構造物の基礎天井２に取付けられている照明器具３の下側に設置する。より具体的には、巻取り部２０と、膜材用ガイド３０を構造物の所定の位置に取付ける。
この実施形態では、１つの照明器具カバー１で、基礎天井２の下側の全面を膜材１０で覆うようにする。ただし、例えば、その構造物の空間が、照明器具カバー１を用いても膜材１０に弛みができてしまうほど大きい、或いは、基礎天井２の形状が１つの照明器具カバー１では覆えない形状であるなどの理由がある場合には、照明器具カバー１を複数用意し、それを構造物の基礎天井２に取付けられている照明器具３の下側に、照明器具カバー１が連続するようにしながら基礎天井２の全面を覆うようにして配置すればよい。
いずれにしても、この実施形態では、基礎天井２の全面を膜材１０で覆うため、美観に優れ、照明器具３のメンテナンスに都合のよい膜天井が形成される。
なお、基礎天井２の全面でなく一部のみを照明器具カバー１で覆えるように照明器具カバー１を設置することも可能である。
次いで、膜材用ガイド３０の通気孔４０にホース４１を固定し、その先を空調設備につなげば、膜材１０の上面側から下面側に送気することができる。
【００２６】
第一当接部３２Ｂと第二当接部３３Ａのそれぞれの面が接している状態で、膜材１０を膜材用ガイド３０に沿って引き出して、その幅方向に与えられたテンションを確認する。膜材用ガイド３０の取付け位置が正確であり、膜材１０の幅方向に与えられたテンションが適正であればそのままでよいが、適正でないとき、例えば、膜材１０に弛みがあるときなどは、ピン３４をレンチで１８０°回転させて、膜材１０のテンションを強める。
次いで、膜材１０を、膜材１０を巻き取る方向で筒部材２１にはたらいている力に抗して筒部材２１から引出し、その先端部にある掛止具１３を、巻取り部２０の取付けられている壁面に対向する壁面などの所定の部位に固定する。これにより、膜材１０が照明器具３の下方に位置することになる。
通常、膜材１０は、引き出された状態とされるが、膜材１０の上側の部分の掃除や、照明器具３のメンテナンスが必要な場合には、膜材１０を筒部材２１に巻き取らせる。このとき、膜材１０の巻き解き、巻取りをすると同時に、刷毛ブラシ５０で膜材１０の両面が掃除される。
なお、膜材１０のテンションをさらに強めたい場合、あるいは、構造物の形状上、膜材用ガイド３０を直線状に配置できない場合は、膜材用ガイド３０を湾曲させて配置すればよい。
【００２７】
《第２実施形態》
第２実施形態では、第１実施形態で説明したのと同様の照明器具カバー１を、電車車両である車両に応用した場合である。車両に照明器具カバー１を適用した場合の図を、図６、図７に示す。
図６に示したように、この車両は、照明器具３を備えている。
図６、図７に示したように、車両の基礎天井２に取付けてある照明器具３の下側の対向する内側面のそれぞれに、基礎天井２の全面を覆うように照明器具カバー１を、隣り合うもの同士の間に隙間がないようにして、連続して固定する。鉄道用車両等の車両の基礎天井２に膜材１０を配することにより、車両内部の美観を大幅に向上させることができる。
【図面の簡単な説明】
【００２８】
【図１】第１実施形態による照明器具カバーを建造物に設置した状態を示す縦断面図。
【図２】図１に示した照明器具カバーに含まれる膜材用ガイドの縦断面図。
【図３】図１に示した照明器具カバーに含まれる膜材用ガイドの縦断面図。
【図４】図１に示した照明器具カバーの変形例における巻取り部近辺を拡大して示す斜視図。
【図５】図１に示した照明器具カバーの他の変形例を示す平面図。
【図６】第２実施形態による照明器具カバーを配された車両を示す縦断面図。
【図７】図６に示した照明器具カバーを、車両室内から見上げた状態を示す図。
【符号の説明】
【００２９】
１  照明器具カバー
２  基礎天井
３  照明器具
１０  膜材
１１  肉厚部
１２  バー
１３  掛止具
２０  巻取り部
２１  筒部材
２２  巻取り部カバー
３０  膜材用ガイド
３１  レールカバー
３１Ａ  部材
３１Ｂ  部材
３１Ｃ  溝
３１Ｄ  穴
３１Ｅ  孔
３２  レール
３２Ａ  フック
３２Ｂ  第一当接部
３２Ｃ  案内板
３２Ｄ  孔
３３  回転部材
３３Ａ  第二当接部
３３Ｂ  孔
３４  ピン
３４Ａ  凹部
４０  通気孔
４１  ホース
４２  孔
５０  刷毛ブラシ
【図１】
2006225867.tif 000003
【図２】
2006225867.tif 000004
【図３】
2006225867.tif 000005
【図４】
2006225867.tif 000006
【図５】
2006225867.tif 000007
【図６】
2006225867.tif 000008
【図７】
2006225867.tif 000009